(57)【特許請求の範囲】
【請求項１】
原稿の画像情報を読取る読取手段と、この読取手段により読取られた読取情報の送信先を特定する特定情報をその送信先と対応付けて記憶する記憶手段と、この記憶手段に記憶された前記送信先を選択する選択手段と、前記読取情報を通信経路を介して前記選択手段により選択された送信先に前記特定情報に基づいて送信する送信手段とを備えたファクシミリ装置において、前記記憶手段は異なる２系統の通信経路に対応する複数のアドレス情報を含む特定情報を記憶可能であるとともに、前記読取情報を前記選択手段により選択された送信先へ送信することを指令する指令手段と、前記複数のアドレス情報のうちいずれかを選択して指定するアドレス指定手段とを備えており、前記送信手段は前記指令手段による指令がなされた場合、前記記憶手段に前記送信先と対応つけられた特定情報としてのアドレス情報が２系統の通信経路各々に記憶されているとき、異なる２系統の通信経路で前記読取情報を送信先に送信する一方、前記記憶手段に前記送信先と対応つけられた特定情報としてのアドレス情報が２系統の通信経路のいずれかのみに記憶されているとき、前記アドレス指定手段は記憶されているアドレス情報を指定し、この指定されたアドレス情報に対応する通信経路を介して選択手段により選択された送信先に前記読取情報を送信することを特徴とするファクシミリ装置。
【請求項２】
前記２系統の通信経路は、インターネットを経由する通信経路およびインターネットを経由しない公衆通信交換網であり、前記アドレス情報は、前記インターネットを経由する通信経路を介して前記読取情報を送信するための送信先を特定するメールアドレス、および前記インターネットを経由しない公衆通信交換網を介して前記読取情報を送信するための送信先を特定するファクシミリ番号であって、それらのうち少なくとも一方が１つの送信先と対応付けて記憶されていることを特徴とする請求項１に記載のファクシミリ装置。
【請求項３】
電子メールを前記インターネットを介して送信する電子メール送信機能が備えられており、前記読取情報を前記インターネットを経由する通信経路で送信する場合、その読取情報を電子メールに添付して、前記メールアドレスによって特定される送信先に送信することを特徴とする請求項１ないし請求項２のいずれか１つに記載のファクシミリ装置。
【請求項４】
原稿の画像情報を読取る読取手段と、この読取手段により読取られた読取情報の送信先を特定する特定情報をその送信先と対応付けて記憶する記憶手段と、この記憶手段に記憶された前記送信先を選択する選択手段と、前記読取情報を通信経路を介して前記選択手段により選択された送信先に前記特定情報に基づいて送信する送信手段と、を備えたファクシミリ装置を制御するコンピュータプログラムを格納した記憶媒体において、前記記憶手段に異なる２系統の通信経路に対応する複数のアドレス情報を含む特定情報を記憶するプログラムと、前記読取情報を前記選択手段により選択された送信先へ送信することを指令する指令プログラムと、その指令プログラムによる指令がなされた場合に、前記特定情報を記憶するプログラムにより前記送信先と対応つけられた特定情報としてのアドレス情報が２系統の通信経路各々に記憶されているとき、異なる２系統の通信経路で前記読取情報を送信先に送信する一方、前記特定情報を記憶するプログラムにより前記送信先と対応つけられた特定情報としてのアドレス情報が２系統の通信経路のいずれかのみに記憶されているとき、この記憶されているアドレス情報を選択して指定し、その指定されたアドレスに対応する通信経路を介して前記読取情報を送信する送信制御プログラムと、を含むコンピュータプログラムが格納されていることを特徴とする記憶媒体。
【発明の詳細な説明】
【０００１】
【発明の属する技術分野】
本発明は、イメージスキャナにより読み取ったデータをインターネットを経由する通信経路、または、インターネットを経由しない公衆通信交換網を介して送信するファクシミリ装置及び記憶媒体に関する。
【０００２】
【従来の技術】
従来、送信先の相手がデータをインターネットを経由して受信できる端末装置およびインターネットを経由しない公衆通信交換網により受信するファクシミリ装置を所有している場合において、送信先の相手に知らせたい事項がある時、その事項をファクシミリ装置を用いて送信する場合は、ファクシミリ装置を使用し、上記事項を電子メールによりインターネットを経由して知らせたい場合は、電子メールを送信可能なＰＣ端末が別途必要となったり、相手の送信アドレスをそれぞれの装置で別個に管理する必要があるという問題点を有していた。特に、相手方に知らせたい事項が手書き若しくは印刷された原稿の形で存在する場合に、ＰＣ端末から電子メールによりインターネットを経由して送信する際は、一度その原稿をスキャナーで読み取った後、電子メールの添付ファイル等にしてから送信する必要があり、面倒な操作を必要とするものであった。
【０００３】
また、一部にＦＡＸ送信と電子メール送信の双方が可能なＦＡＸ装置も提案されているが、それらの装置においても相手の送信アドレスをそれぞれの通信経路毎に個別に入力指定したり、その都度アドレスの入力操作をしたりする必要があり、送信先のＦＡＸ番号、Ｅメールアドレスを管理する場合においても、別々にそれらを作成して保管する必要があり面倒であるという問題点があった。
【０００４】
【発明が解決しようとする課題】
本発明は上記従来の問題点を一挙に解消するために為されたもので、１個の端末でＦＡＸ送信及び電子メール送信を可能にし、しかもその送信先に対応するＦＡＸ番号及び電子メールアドレスを送信先毎に対応させて作成して記憶出来るようにして、一元的に管理ができるようにし、且つ、送信先を選択操作するだけで、ＦＡＸ番号及び電子メールアドレスの双方が記憶されている場合には双方で送信し、また、いずれかが記憶されているとき、その記憶されているＦＡＸ番号及び電子メールアドレスの一方を選択して指定されるようにし、指定されたアドレス送信先への送信操作が簡単にできるファクシミリ装置および記憶媒体を提供することを目的とする。
【０００５】
【課題を解決するための手段】
本発明は、上記目的を達成するため、請求項１に記載の発明では、原稿の画像情報を読取る読取手段と、この読取手段により読取られた読取情報の送信先を特定する特定情報をその送信先と対応付けて記憶する記憶手段と、この記憶手段に記憶された前記送信先を選択する選択手段と、前記読取情報を通信経路を介して前記選択手段により選択された送信先に前記特定情報に基づいて送信する送信手段とを備えたファクシミリ装置において、前記記憶手段は異なる２系統の通信経路に対応する複数のアドレス情報を含む特定情報を記憶可能であるとともに、前記読取情報を前記選択手段により選択された送信先へ送信することを指令する指令手段と、前記複数のアドレス情報のうちいずれかを選択して指定するアドレス指定手段とを備えており、前記送信手段は前記指令手段による指令がなされた場合、前記記憶手段に前記送信先と対応つけられた特定情報としてのアドレス情報が２系統の通信経路各々に記憶されているとき、異なる２系統の通信経路で前記読取情報を送信先に送信する一方、前記記憶手段に前記送信先と対応つけられた特定情報としてのアドレス情報が２系統の通信経路のいずれかのみに記憶されているとき、前記アドレス指定手段は記憶されているアドレス情報を指定し、この指定されたアドレス情報に対応する通信経路を介して選択手段により選択された送信先に前記読取情報を送信するという技術的手段を採用する。
【０００６】
請求項２に記載の発明では、請求項１に記載のファクシミリ装置において、前記２系統の通信経路は、インターネットを経由する通信経路およびインターネットを経由しない公衆通信交換網であり、前記アドレス情報は、前記インターネットを経由する通信経路を介して前記読取情報を送信するための送信先を特定するメールアドレス、および前記インターネットを経由しない公衆通信交換網を介して前記読取情報を送信するための送信先を特定するファクシミリ番号であって、それらのうち少なくとも一方が１つの送信先と対応付けて記憶されているという技術的手段を採用する。
【０００７】
請求項３に記載の発明では、請求項１または請求項２に記載のファクシミリ装置において、電子メールを前記インターネットを介して送信する電子メール送信機能が備えられており、前記読取情報を前記インターネットを経由する通信経路で送信する場合、その読取情報を電子メールに添付して、前記メールアドレスによって特定される送信先に送信するという技術的手段を採用する。
【０００８】
請求項４に記載の発明では、原稿の画像情報を読取る読取手段と、この読取手段により読取られた読取情報の送信先を特定する特定情報をその送信先と対応付けて記憶する記憶手段と、この記憶手段に記憶された前記送信先を選択する選択手段と、前記読取情報を通信経路を介して前記選択手段により選択された送信先に前記特定情報に基づいて送信する送信手段と、を備えたファクシミリ装置を制御するコンピュータプログラムを格納した記憶媒体において、前記記憶手段に異なる２系統の通信経路に対応する複数のアドレス情報を含む特定情報を記憶するプログラムと、前記読取情報を前記選択手段により選択された送信先へ送信することを指令する指令プログラムと、その指令プログラムによる指令がなされた場合に、前記特定情報を記憶するプログラムにより前記送信先と対応つけられた特定情報としてのアドレス情報が２系統の通信経路各々に記憶されているとき、異なる２系統の通信経路で前記読取情報を送信先に送信する一方、前記特定情報を記憶するプログラムにより前記送信先と対応つけられた特定情報としてのアドレス情報が２系統の通信経路のいずれかのみに記憶されているとき、この記憶されているアドレス情報を選択して指定し、その指定されたアドレスに対応する通信経路を介して前記読取情報を送信する送信制御プログラムと、を含むコンピュータプログラムが格納されていることを特徴とする記憶媒体という技術的手段を採用する。
【０００９】
【作用】
請求項１ないし請求項４に記載の発明では、ファクシミリ装置に備えられた指令手段は、原稿の画像情報を読取る読取手段により読取られた読取情報を、読取情報の送信先を選択する選択手段により選択された送信先へ送信することを指令する。そして、ファクシミリ装置は、異なる２系統の通信経路に対応する複数のアドレス情報を含む特定情報を記憶するとともに、前記読取情報を前記選択手段により選択された送信先へ送信することを指令する指令手段とを備え、指令手段による指令がなされた場合に、送信先と対応つけられた特定情報としてのアドレス情報が２系統の通信経路各々に記憶されているとき、異なる２系統の通信経路で前記読取情報を送信先に送信する一方、送信先と対応つけられた特定情報としてのアドレス情報が２系統の通信経路のいずれかのみに記憶されているとき、この記憶されているアドレス情報を指定するアドレス指定手段によって、読取情報を指定されたアドレスに対応する通信経路で送信する。
【００１０】
したがって、送信先と対応つけられた特定情報としてのアドレス情報が２系統の通信経路各々に記憶されているとき、送信先の相手は送信された原稿の内容を２系統の通信経路で知ることができる。一方、送信先と対応つけられた特定情報としてのアドレス情報が２系統の通信経路のいずれかのみに記憶されていれば、ファクシミリ装置を操作する者が、系統の異なる通信経路に応じて各々のアドレスをその都度入力操作する手間を省くことができ、操作が簡単なものとなり、且つ、送信先のアドレスを別々に作成して管理する手間も省くことができる。
【００１１】
特に、上記２系統の通信経路が、インターネットを経由する通信経路およびインターネットを経由しない公衆通信交換網である場合は、請求項２に記載の技術的手段が好適に用いられる。
【００１２】
つまり、読取情報をインターネットを経由する通信経路およびインターネットを経由しない公衆通信交換網の２つの通信経路を介して送信するためには、送信先のメールアドレスおよびファクシミリ番号が分かっていることが必要である。
そこで、請求項２に記載の発明に備えられた記憶手段には、メールアドレスおよびファクシミリ番号のうちの少なくとも一方が１つの送信先と対応付けて記憶されているため、メールアドレスおよびファクシミリ番号のいずれかが記憶されている場合は、アドレス指定手段がメールアドレスまたはファクシミリ番号を選択して指定し、送信手段が、読取情報をインターネットを経由する通信経路またはインターネットを経由しない公衆回線網を介して送信することができる。
【００１３】
また、請求項３に記載の発明では、電子メールをインターネットを介して送信する電子メール送信機能が備えられており、読取情報をインターネットを経由する通信経路で送信する場合、その読取情報を電子メールに添付して、メールアドレスによって特定される送信先に送信する。
【００１４】
つまり、読取情報を電子メールに添付し、その電子メールを送信する手法により、容易に読取情報を送信することができる。
【００１５】
また、本発明の目的は、請求項４に記載の発明のように、原稿の画像情報を読取る読取手段と、この読取手段により読取られた読取情報の送信先を特定する特定情報をその送信先と対応付けて記憶する記憶手段と、この記憶手段に記憶された前記送信先を選択する選択手段と、前記読取情報を通信経路を介して前記選択手段により選択された送信先に前記特定情報に基づいて送信する送信手段と、を備えたファクシミリ装置を制御するコンピュータプログラムを格納した記憶媒体において、前記記憶手段に異なる２系統の通信経路に対応する複数のアドレス情報を含む特定情報を記憶するプログラムと、前記読取情報を前記選択手段により選択された送信先へ送信することを指令する指令プログラムと、その指令プログラムによる指令がなされた場合に、前記特定情報を記憶するプログラムにより前記送信先と対応つけられた特定情報としてのアドレス情報が２系統の通信経路各々に記憶されているとき、異なる２系統の通信経路で前記読取情報を送信先に送信する一方、前記特定情報を記憶するプログラムにより前記送信先と対応つけられた特定情報としてのアドレス情報が２系統の通信経路のいずれかのみに記憶されているとき、この記憶されているアドレス情報を選択して指定し、その指定されたアドレスに対応する通信経路を介して前記読取情報を送信する送信制御プログラムと、を含むコンピュータプログラムが格納されていることを特徴とする記憶媒体によって実現できる。
【００１６】
つまり、たとえば、ファクシミリ装置がコンピュータと接続されており、そのコンピュータによってファクシミリ装置の動作環境を管理できる場合は、上記記憶媒体に記憶されたプログラムをコンピュータにダウンロードして実行することにより、上記指令および送信制御を実現できる。
【００１７】
【発明の実施の形態】
以下、本発明のファクシミリ装置の一実施形態について図を参照して説明する。
【００１８】
図１は、本発明実施形態のファクシミリ装置の外観を示す説明図である。
【００１９】
なお、以下の実施形態では、ファクシミリ装置として、ファクシミリ機能、イメージスキャナ機能、プリンタ機能およびコピー機能などの複数の機能を備えたマルチファンクションタイプのファクシミリ装置を代表に説明する。
【００２０】
ファクシミリ装置１には、箱形状のハウジング２が備えられており、このハウジング２の上面前部には操作パネル３が設けられている。操作パネル３には、本発明の読取情報たる読取データの送信先のファクシミリ番号などを入力するための「０」〜「９」のテンキー３ａ、読取データの送信開始などを指示するためのスタートボタン３ｂ、読取データの送信中止などを指示するためのストップボタン３ｃ、短縮ファクシミリ番号を用いて読取データを送信するための短縮ダイヤルボタン３ｄ、ファクシミリモードとプリンタモードとを切替えるための切替ボタン３ｅ、読取データを緊急に送信したい場合などに読取データをインターネットを経由する通信経路およびインターネットを経由しない公衆通信交換網を介して送信するための緊急モードボタン３ｆ、原稿の読取解像度を設定するための解像度設定ボタン３ｇなどが設けられている。
【００２１】
なお、テンキー３ａは、文字や記号も入力できるようになっており、電子メールの送信先のメールアドレスの入力にも用いられる。また、緊急モードボタン３ｆは、押すごとにＯＮ、または、ＯＦＦになる。
【００２２】
操作パネル３の後部には、送信先のメールアドレス、ファクシミリ番号、送信状態、緊急モードでは送信できないことを示すメッセージなどを表示する液晶表示部（ＬＣＤ）４が設けられており、この液晶表示部４の後部には、送信原稿やコピー原稿をセットする原稿セット部５が設けられている。この原稿セット部５にセットされた原稿は、ハウジング２の内部に設けられた紙送り機構（図示省略）によってハウジング２の内部へ搬送され、この搬送された原稿の画像情報は、イメージスキャナ（図３に符号１９で示す）によって読み取られる。この読取られた原稿は、操作パネル３の下方に設けられた原稿排出口６を介してトレイ６ａ上に積層可能に排出される。
【００２３】
原稿セット部５の後部には、受信した読取データや印刷データを記録するための本発明の被記録媒体たる記録用紙をセットする記録用紙セット部７が設けられている。この記録用紙セット部７には、複数枚の記録用紙を積層して収納可能な記録用紙カセット（図示省略）が着脱自在に取り付けられる。この記録用紙カセットに収納された記録用紙は、上記紙送り機構によってハウジング２の内部へ搬送され、この搬送された記録用紙は、インクジェットプリンタ（図３に符号２６で示す）によってインクによる記録が行われる。この記録された記録用紙は、トレイ６ａの下方に設けられた記録用紙排出部８から排出される。
【００２４】
また、ハウジング２の前面右下にはビデオ信号入力端子９が設けられており、このビデオ信号入力端子９に接続されたビデオカメラなどから出力されるビデオ信号は、ファクシミリ装置１の内部へ取り込まれ、インクジェットプリンタにより印刷される。
【００２５】
なお、図示しないが、ハウジング２の背面には、電話回線（図３に符号５２で示す）を接続するための通信端子と、パーソナルコンピュータ（以下、ＰＣと略称する。図３に符号５３で示す。）と接続するための接続ケーブル（図３に符号５４で示す）を接続する端子とが設けられており、左側面には、送信先と通話などを行うための受話器が設けられている。
【００２６】
ところで、イメージスキャナ１９が本発明の読取手段に対応し、緊急モードボタン３ｆが指令手段に対応する。
【００２７】
次に、ファクシミリ装置１および送信先のファクシミリ装置間の通信経路について、それをブロックで示す図２を参照して説明する。
【００２８】
ファクシミリ装置１は、電話回線５２により、ファクシミリ装置１が設けられている地域に設置された電話交換機４０に接続されており、電話交換機４０は、ＩＳＰ（Ｉｎｔｅｒｎｅｔ  Ｓｅｒｖｉｃｅ  Ｐｒｏｖｉｄｅｒ）４１を介してインターネットＡに接続されている。また、送信先のファクシミリ装置４４は、ファクシミリ装置４４が設けられている地域に設置された電話交換機４３に接続されており、電話交換機４３は、ＩＳＰ４２を介してインターネットＡに接続されている。
【００２９】
つまり、ファクシミリ装置１は、ファクシミリ装置１→電話交換機４０→ＩＳＰ４１→インターネットＡ→ＩＳＰ４２→電話交換機４３→ファクシミリ装置４４またはＰＣ４５というインターネットＡを経由する通信経路を介して送信先のファクシミリ装置４４またはＰＣ４５と接続されている。
【００３０】
また、ファクシミリ装置１は、ファクシミリ装置１→電話交換機４０→公衆通信交換網Ｂ→電話交換機４３→ファクシミリ装置４４というインターネットＡを経由しない公衆通信交換網Ｂを介して送信先のファクシミリ装置４４と接続されている。
【００３１】
ところで、上記インターネットＡを経由する通信経路とインターネットＡを経由しない公衆通信交換網Ｂとが本発明の２系統の通信経路に対応している。
【００３２】
次に、ファクシミリ装置１の主な電気的構成について、それをブロックで示す図３を参照して説明する。
【００３３】
ファクシミリ装置１には、ファクシミリユニットＦＵおよびプリンタユニットＰＵが備えられており、両ユニットは、インターフェース３０により相互に接続されている。
【００３４】
ファクシミリユニットＦＵには、通信経路をインターネットＡを経由する通信経路およびインターネットＡを経由せずに公衆通信交換網Ｂを経由する通信経路のいずれかへの切替制御、読取データの送受信制御などを実行するＣＰＵ１１が備えられており、ＣＰＵ１１はファクシミリ制御回路２０に接続されている。ファクシミリ制御回路２０には、ＲＯＭ１２、ＲＡＭ１３およびＥＥＰＲＯＭ１４が接続されている。ＲＯＭ１２には、ＣＰＵ１１が各種制御を実行するための制御プログラム１２ａが記憶されている。ＲＡＭ１３には、テンキー３ａの押し下げにより入力されたファクシミリ番号、メールアドレス、イメージスキャナ１９により読取られた原稿の読取データなどが一時的に記憶される。
【００３５】
ＥＥＰＲＯＭ１４には、その記憶内容を説明する図４に示すように、送信先名に対応付けられて送信先のファクシミリ番号およびメールアドレスが、または、それらのいずれか一方が書換可能に記憶されており、記憶されたデータは、ファクシミリ装置１の電源オフ後も保持される。
【００３６】
また、ファクシミリ装置１には、電話回線５２に対するダイヤル信号の送出、電話回線５２からの呼出信号に対する応答などを行うＮＣＵ１５が備えられており、このＮＣＵ１５には、読取データの送受信を行うためのモデム１６が接続されている。さらに、ファクシミリ制御回路２０には、イメージスキャナ１９により読取られた読取データなどを圧縮されたデータに変換するために符号化する符号器１７と、受信された読取データなどの符号化されたデータを復号化する復号器１８と、原稿セット部５に原稿がセットされたことを検出する原稿センサ１０とが接続されている。また、ファクシミリ制御回路２０には、ファクシミリ装置１に内蔵されたブザー２９を再生するための音声回路２８が接続されている。
【００３７】
プリンタユニットＰＵには、インクジェットプリンタ２６を制御するプリンタ制御回路２７が備えられており、このプリンタ制御回路２７には、インクジェットプリンタ２６を制御するプログラムを実行するＣＰＵ２１が接続されている。また、プリンタ制御回路２７には、ＣＰＵ２１により実行されるプログラムなどが記憶されたＲＯＭ２２と、ＣＰＵ２１の実行時に使用されるワークメモリや印刷用データを記憶するプリントメモリなどを有するＲＡＭ２３と、ＰＣ５３が接続されるＰＣ用インターフェース２４と、印刷用の文字などのベクトルフォントが記憶されたキャラクタジェネレータ（ＣＧ）２５と、記録用紙へインク液滴を吐出して印刷を行うインクジェットプリンタ２６とが接続されている。
【００３８】
なお、本実施形態では、ＰＣ用インターフェース２４は、セントロニクス規格に準拠したパラレルインターフェースであり、ファクシミリ装置１は、そのＰＣ用インターフェース２４に接続されたケーブル５４を介してＰＣ５３とデータの送受信を行う。
【００３９】
ところで、ＥＥＰＲＯＭ１４が、本発明の記憶手段に対応する。
【００４０】
次に、ＣＰＵ１１により実行される通信制御処理の内容について、それを示す図５ないし図７のフローチャートを参照して説明する。
【００４１】
なお、ここでは、ファクシミリ装置１の操作者は、図４に示す登録番号１の送信先へ読取データを緊急モードで送信するものとする。
【００４２】
まず、ＣＰＵ１１は、原稿センサ１０からの検出信号に基づいて原稿セット部５に原稿がセットされたことを検出し（ステップ１０：Ｙｅｓ）、何らかの読取モードが設定されたことを検出し（ステップ２０：Ｙｅｓ）、さらにテンキー３ａ、または、短縮ダイヤルボタン３ｄが操作されて送信先が指定されたことを検出すると（ステップ３０：Ｙｅｓ）、緊急モードボタン３ｆが押されて緊急モードが指令されたかを判定する（ステップ４０）。
【００４３】
つまり、読取データをインターネットＡを経由する通信経路およびインターネットＡを経由しないで公衆通信交換網Ｂを経由する通信経路の２つの異なる通信経路により、指定された送信先へ送信できるかを判定する。
【００４４】
ここでは、操作者は、緊急モードボタン３ｆを押したものとすると、ステップ５０へ進み、２系統送信処理を実行する。
【００４５】
ここで、ＣＰＵ１１により実行される２系統送信処理の内容について、それを示す図６を参照して説明する。
【００４６】
ＣＰＵ１１は、指定された送信先のメールアドレスおよびファクシミリ番号がＥＥＰＲＯＭ１４に記憶されているかを判定する（ステップ５２）。
【００４７】
ここでは、前述のように、操作者は、登録番号１の送信先を指定しており、図４に示すように、登録番号１の送信先には、メールアドレスおよびファクシミリ番号が登録されているため、ステップ５４へ進み（ステップ５２：Ｙｅｓ）、スタートボタン３ｂが押されていることを検出すると（ステップ５４：Ｙｅｓ）、イメージスキャナ１９に原稿の画像情報を読み取らせ、この読取られた読取データを蓄積してＴＩＦＦ（Ｔａｇ  Ｉｍａｇｅ  Ｆｉｌｅ  Ｆｏｒｍａｔ）形式のイメージファイルに変換する（ステップ５６）。
【００４８】
続いて、上記イメージファイル化が終了すると、登録番号１に登録された送信先へ送信するための電子メールを作成し、その電子メールに上記イメージファイルを添付する（ステップ５８）。続いて、ＮＣＵ１５にＩＳＰ４１に対してダイヤリングを実行させ（ステップ６０）、ＩＳＰ４１に接続されると（ステップ６２：Ｙｅｓ）、上記イメージファイルが添付された電子メールをＩＳＰ４１、インターネットＡを介してＩＳＰ４２へ送信する（ステップ６４）。このとき、ＩＳＰ４２は、受信した電子メールをその電子メールにより示されるメールアドレスにより特定される記憶領域に記憶する。
【００４９】
そして、ＣＰＵ１１は、電子メールの送信終了を検出すると（ステップ６６：Ｙｅｓ）、一旦、通信回線を切断し（ステップ６７）、送信先のファクシミリ装置４４へダイヤリングを行い（ステップ６８）、着信を検出すると（ステップ７０：Ｙｅｓ）、ＲＡＭ１３に蓄積されている読取データを読出し、この読出された読取データを電話交換機４０、公衆通信交換網Ｂおよび電話交換機４３を介して、つまり、インターネットＡを経由しないで送信先のファクシミリ装置４４へ送信する（ステップ７２）。そして、読取データの送信終了を検出すると（ステップ７４：Ｙｅｓ）、通信回線を切断する（ステップ７６）。
【００５０】
一方、送信先の相手は、ＰＣ４５を操作してＩＳＰ４２にアクセスすることにより、上記ステップ６４において送信された電子メールを受信し、電子メールに添付されたイメージファイルを解凍し、その解凍されたイメージファイル、つまり、送信された原稿の内容をＣＲＴ画面、または、液晶画面により見ることができる。また、送信先のファクシミリ装置４４は、上記ステップ７２において送信された読取データを受信し、その受信内容を記録用紙に記録する。これにより、送信先の相手は、ファクシミリ装置４４から排出された記録用紙を見ることにより、原稿の内容を知ることができる。
【００５１】
なお、上記処理では、電子メールを送信した後に、通常のファクシミリデータを送信する順序になっているが、どちらを先に送信しても良い。
【００５２】
また、短縮ダイヤルボタン３ｄにより、図４に示す登録番号２の送信先を指定した場合は、登録番号２の送信先にはメールアドレスが登録されていないため、ＣＰＵ１１は、上記ステップ５２において否定判定し（ステップ５２：Ｎｏ）、ブザー２９によって警告音を再生し（ステップ７８）、液晶表示部４に、たとえば、「メールアドレスが登録されていません。」、「緊急モードを使用できない送信先です。緊急モードを解除してください。」などのエラーメッセージを表示する（ステップ８０）。
【００５３】
つまり、登録番号２の送信先には、読取データを上記異なる２系統の通信経路を介して送信できないことを操作者に報知する。
【００５４】
そして、ＣＰＵ１１は、再度、緊急ボタン３ｆを押して緊急モードが解除されたことを検出すると（ステップ８２：Ｙｅｓ）、図５に示すステップ９０へスキップし（ステップ８４）、１系統送信処理を実行する。
【００５５】
この１系統送信処理は、図７に示すフローチャートにしたがって実行される。
ＣＰＵ１１は、送信先が指定されたことを検出し（ステップ９２：Ｙｅｓ）、その指定された送信先に対応付けてファクシミリ番号がＥＥＰＲＯＭ１４に記憶されていることを検出すると（ステップ９４：Ｙｅｓ）、送信先のファクシミリ装置４４へダイヤリングを行う（ステップ９６）。
【００５６】
続いて、ＣＰＵ１１は、着信を検出すると（ステップ９８：Ｙｅｓ）、イメージスキャナ１９に原稿を読取らせるとともに、その読取られた読取データを送信先のファクシミリ装置４４へ送信する（ステップ１００）。続いて、その送信が終了すると（ステップ１０２：Ｙｅｓ）、通信回線の接続を切断する（ステップ１０４）。
【００５７】
また、指定した送信先に対応付けてメールアドレスのみが記憶されている場合は、ステップ１０６へ進み（ステップ９４：Ｎｏ）、原稿を読取るとともに、その読取られた読取データをイメージファイル化する。続いて、電子メールを作成するとともに、その電子メールにイメージファイルを添付し（ステップ１０８）、ＩＳＰへダイヤリングする（ステップ１１０）。続いて、ＩＳＰ４１との接続を検出すると（ステップ１１２：Ｙｅｓ）、上記作成した電子メールをＩＳＰ４１へ送信し（ステップ１１４）、その送信が終了すると（ステップ１１６：Ｙｅｓ）、通信回線の接続を切断する（ステップ１１８）。
【００５８】
以上のように、本実施形態のファクシミリ装置１は、緊急モードボタン３ｆが押下されない通常モードの場合、原稿をセットし（ステップ１０）短縮読取モードをセットし（ステップ２０）送信先をセットする（ステップ３０）だけで、イメージスキャナ１９で読み取った原稿の読取データを、送信先に対応するメールアドレスおよびファクシミリ番号のうちファクシミリ番号を選択して指定し、インターネットを経由しない公衆通信交換網Ｂを介して送信先のファクシミリ装置４４へ自動的に送信することができる。
【００５９】
したがって、通信経路毎にアドレス情報をいちいち入力したり切換えたりする手間が省けるのみならず送信先アドレスを一元的に扱うことができその作成管理が簡便化される。
【００６０】
ところで、ＣＰＵ１１により実行されるステップ４０およびステップ９０が、本発明の指令手段として機能し、ステップ９４が、アドレス指定手段として機能する。また、ＣＰＵ１１により実行されるステップ６４およびステップ７２、ならびにステップ１００およびステップ１１４が、本発明の送信手段として機能する。
【００６１】
なお、上記実施形態では、送信側および受信側が共に１回線で接続されている場合を説明したが、双方が２回線で接続されている場合は、ファクシミリ装置１から読取データを送信先のファクシミリ装置４４およびＰＣ４５へ並列に送信することもできる。
【００６２】
また、上記実施形態では、ファクシミリ装置１に備えられたＣＰＵ１１が図５ないし図７に示す通信制御処理を実行する場合を説明したが、ファクシミリ装置１に接続されたＰＣ５３に実行させることもできる。この場合、図５ないし図７に示す通信制御処理を実行するプログラムが記憶された本発明の記憶媒体たるＣＤ−ＲＯＭやフロッピーディスクをファクシミリ装置１のアプリケーションソフトとしてＰＣ５３にダウンロードする。
【００６３】
さらに、上記実施形態では、イメージファイル化された読取データを電子メールに添付して送信する構成を説明したが、読取データをＷＷＷ（Ｗｏｒｌｄ  Ｗｉｄｅ  Ｗｅｂ）技術を用いてＨＴＴＰ（Ｈｙｐｅｒ  Ｔｅｘｔ  Ｔｒａｎｓｆｅｒ  Ｐｒｏｔｏｃｏｌ）で送信する構成、もしくは、製品独自の方式でＩＰパケットに読取データを載せて送信する構成を採用することもできる。
【００６４】
【発明の効果】
以上のように、請求項１ないし請求項４に記載の発明によれば、指令手段による指令がなされた場合に、前記記憶手段に前記送信先と対応つけられた特定情報としてのアドレス情報が２系統の通信経路各々に記憶されているとき、異なる２系統の通信経路で前記読取情報を送信先に送信するするので、送信先の相手は送信された原稿の内容を２系統の通信経路で知ることができる。一方、前記記憶手段に前記送信先と対応つけられた特定情報としてのアドレス情報が２系統の通信経路のいずれかのみに記憶されていれば、この記憶されているアドレス情報を指定するアドレス指定手段によって、読取情報を指定されたアドレスに対応する通信経路で送信するので、ファクシミリ装置を操作する者が、系統の異なる通信経路に応じて各々のアドレスをその都度入力操作する手間を省くことができ、操作が簡単なものとなり、且つ、送信先のアドレスを別々に作成して管理する手間も省くことができるという効果がある。
【００６５】
特に、請求項２に記載の発明によれば、上記異なる２系統の通信経路が、インターネットを経由する通信経路およびインターネットを経由しない公衆通信交換網であるので、記憶手段に送信先のメールアドレスおよびファクシミリ番号のいずれかが記憶されている場合に、アドレス指定手段がメールアドレスまたはファクシミリ番号を選択して指定し、送信手段が、読取情報をインターネットを経由する通信経路またはインターネットを経由しない公衆回線網を介して送信することができる。
【００６６】
また、請求項３に記載の発明によれば、電子メールを送信する手法により、容易に読取情報を送信することができる。
【００６７】
また、請求項４に記載の発明によれば、原稿の画像情報を読取る読取手段と、この読取手段により読取られた読取情報の送信先を特定する特定情報をその送信先と対応付けて記憶する記憶手段と、この記憶手段に記憶された前記送信先を選択する選択手段と、前記読取情報を通信経路を介して前記選択手段により選択された送信先に前記特定情報に基づいて送信する送信手段と、を備えたファクシミリ装置を制御するコンピュータプログラムを格納した記憶媒体において、前記記憶手段に異なる２系統の通信経路に対応する複数のアドレス情報を含む特定情報を記憶するプログラムと、前記読取情報を前記選択手段により選択された送信先へ送信することを指令する指令プログラムと、その指令プログラムによる指令がなされた場合に、前記特定情報を記憶するプログラムにより前記送信先と対応つけられた特定情報としてのアドレス情報が２系統の通信経路各々に記憶されているとき、異なる２系統の通信経路で前記読取情報を送信先に送信する一方、前記特定情報を記憶するプログラムにより前記送信先と対応つけられた特定情報としてのアドレス情報が２系統の通信経路のいずれかのみに記憶されているとき、この記憶されているアドレス情報を選択して指定し、その指定されたアドレスに対応する通信経路を介して前記読取情報を送信する送信制御プログラムと、を含むコンピュータプログラムが格納されている記憶媒体という構成であるため、この記憶媒体を用いれば、送信先と対応つけられた特定情報としてのアドレス情報が２系統の通信経路各々に記憶されているとき、送信先の相手は送信された原稿の内容を２系統の通信経路で知ることができる。一方、送信先と対応つけられた特定情報としてのアドレス情報が２系統の通信経路のいずれかのみに記憶されていれば、ファクシミリ装置を操作する者が、系統の異なる通信経路に応じて各々のアドレスをその都度入力操作する手間を省くことができ、操作が簡単なものとなり且つ送信先のアドレスを別々に作成して管理する手間も省くことができるファクシミリ装置を実現することができる。
【図面の簡単な説明】
【図１】  本発明実施形態のファクシミリ装置の外観を示す説明図である。
【図２】  ファクシミリ装置１および送信先のファクシミリ装置４４間の通信経路を示す説明図である。
【図３】  図１に示すファクシミリ装置の主な電気的構成をブロックで示す説明図である。
【図４】  ＥＥＰＲＯＭ１４の記憶内容を示す説明図である。
【図５】  ＣＰＵ１１により実行される通信制御処理の内容を示すフローチャートである。
【図６】  ＣＰＵ１１により実行される２系統送信処理の内容を示すフローチャートである。
【図７】  ＣＰＵ１１により実行される１系統送信処理の内容を示すフローチャートである。
【符号の説明】
１      ファクシミリ装置
３ｆ    緊急モードボタン
５      原稿セット部
６      原稿排出口
７      記録用紙セット部
８      記録用紙排出部
１１      ＣＰＵ
１４      ＥＥＰＲＯＭ（記憶手段）
１９      イメージスキャナ（読取手段）
２６      インクジェットプリンタ
４４      送信先ファクシミリ装置
４５      ＰＣ
５２      電話回線
Ａ      インターネット
Ｂ      公衆通信交換網
【図１】
0003726635.tif 000002
【図２】
0003726635.tif 000003
【図３】
0003726635.tif 000004
【図４】
0003726635.tif 000005
【図５】
0003726635.tif 000006
【図６】
0003726635.tif 000007
【図７】
0003726635.tif 000008